(57)【要約】【課題】１２セグメント放送の番組と１セグメント放送の番組とを同時に記録し、１２セグメント放送における動的な放送編成の変更に対応すること。【解決手段】受信部１０２は、放送波を受信し、放送波を、第１の伝送特性のデータと、第２の伝送特性のデータと、番組情報のデータとに分離する。記録処理部１０４は、受信部１０２から供給される、第１の伝送特性のデータと第２の伝送特性のデータとを同時に記録する。制御部１０８は、ユーザインタフェース部１０６から供給されるユーザ指示に基づいて、記録処理部１０４を制御する。再生部１１０は、記録処理部１０４に記録された、第１の伝送特性のデータ及び第２の伝送特性のデータのうちの一方をユーザ指示に基づいて再生する。【選択図】      図１
2008252590.tif 000002
【特許請求の範囲】
【請求項１】
放送波を受信し、前記放送波を、第１の伝送特性のデータと、第２の伝送特性のデータと、番組情報のデータとに分離する受信部と、
前記受信部から供給される、前記第１の伝送特性のデータと前記第２の伝送特性のデータとを同時に記録する記録処理部と、
ユーザ指示が入力されるユーザインタフェース部と、
前記ユーザインタフェース部から供給される前記ユーザ指示に応じて、前記記録処理部を制御する制御部と、
前記記録処理部に記録された、前記第１の伝送特性のデータ及び前記第２の伝送特性のデータのうちの一方を、前記ユーザインタフェース部から供給される前記ユーザ指示に応じて再生する再生部と、
を具備することを特徴とする記録装置。
【請求項２】
前記放送波は、地上デジタル放送の電波であり、
前記第１の伝送特性のデータは、前記放送波を１３個のセグメントに分割したうちの１２個のセグメントを用いて伝送され、
前記第２の伝送特性のデータは、前記１３個のセグメントのうちの１個のセグメントを用いて伝送されることを特徴とする、請求項１記載の記録装置。
【請求項３】
前記制御部は、前記記録処理部によって記録される前記第１の伝送特性のデータにおいて放送編成の変更があるか否かを、前記番組情報のデータに基づいて判定し、前記放送編成の変更がある場合、前記放送編成の変更に関する情報を記憶することを特徴とする、請求項１記載の記録装置。
【請求項４】
前記制御部は、編成変更データベースを備え、前記放送編成の変更に関する情報を前記編成変更データベースに記憶することを特徴とする、請求項３記載の記録装置。
【請求項５】
前記記録処理部は、記憶媒体を備え、前記制御部は、前記放送編成の変更に関する情報を前記記憶媒体に記憶することを特徴とする、請求項３記載の記録装置。
【請求項６】
前記再生部は、前記記録処理部によって記録された前記第１の伝送特性のデータの再生を開始する前に、前記第１の伝送特性のデータについて前記放送編成の変更に関する情報が存在するか否かを判定し、前記放送編成の変更に関する情報が存在する場合、前記放送編成の変更に関する情報を画像表示装置に出力することを特徴とする、請求項３記載の記録装置。
【請求項７】
前記再生部は、前記放送編成の変更に関する情報が存在する場合、前記第１の伝送特性のデータの再生中に、前記放送編成の変更があった箇所に関する情報を前記画像表示装置に出力することを特徴とする、請求項６記載の記録装置。
【請求項８】
前記放送編成の変更があった箇所に関する情報は、前記箇所に対応する前記第２の伝送特性のデータが前記記録処理部によって記録されていることを示す情報を含むことを特徴とする、請求項７記載の記録装置。
【請求項９】
前記再生部は、前記ユーザインタフェース部に入力される前記ユーザ指示に応じて、前記放送編成の変更があった箇所について、前記記録処理部によって記録された前記第１の伝送特性のデータ及び前記第２の伝送特性のデータのうちのいずれか一方を再生することを特徴とする、請求項８記載の記録装置。
【請求項１０】
放送波を受信するステップと、
前記放送波を、第１の伝送特性のデータと、第２の伝送特性のデータと、番組情報のデータとに分離するステップと、
前記第１の伝送特性のデータと前記第２の伝送特性のデータとを同時に記録するステップと、
ユーザ指示を入力するステップと、
前記ユーザ指示に基づいて、前記記録するステップを制御するステップと、
前記ユーザ指示に基づいて、前記第１の伝送特性のデータ及び前記第２の伝送特性のデータのうちのいずれか一方を再生するステップと、
を具備することを特徴とする記録方法。
【請求項１１】
前記制御するステップは、前記記録された第１の伝送特性のデータにおいて放送編成の変更があったか否かを前記番組情報のデータに基づいて判定し、前記放送編成の変更があった場合、前記放送編成の変更に関する情報を記憶することを特徴とする、請求項１０記載の記録方法。
【請求項１２】
前記再生するステップは、前記記録された第１の伝送特性のデータの再生を開始する前に、前記第１の伝送特性のデータについて前記放送編成の変更に関する情報が存在するか否かを判定し、前記放送編成の変更に関する情報が存在する場合、前記放送編成の変更に関する情報を画像表示装置に出力することを特徴とする、請求項１１記載の記録方法。
【請求項１３】
前記再生するステップは、前記放送編成の変更に関する情報が存在する場合、前記第１の伝送特性のデータの再生中に、前記放送編成の変更があった箇所に関する情報を前記画像表示装置に出力することを特徴とする、請求項１２記載の記録方法。
【請求項１４】
前記放送編成の変更があった箇所に関する情報は、前記箇所に対応する前記第２の伝送特性のデータが記録されていることを示す情報を含むことを特徴とする、請求項１３記載の記録方法。
【請求項１５】
前記再生するステップは、前記ユーザ指示に応じて、前記放送編成の変更があった箇所について、前記記録された第１の伝送特性のデータ及び第２の伝送特性のデータのうちのいずれか一方を再生することを特徴とする、請求項１４記載の記録装置。
【発明の詳細な説明】
【技術分野】
【０００１】
本発明は、一般に、記録装置及び記録方法に関し、特に、放送される番組を記録する記録装置及び記録方法に関する。
【背景技術】
【０００２】
現在、地上波アナログ放送、衛星デジタル放送、及び地上デジタル放送といった各種の放送サービスが提供されている。特に、地上デジタル放送は、現行のアナログ放送と比較して種々の利点を有することから注目されている。例えば、地上デジタル放送では、１つのチャネルが１３個のセグメントに分割され、これらのセグメントを組み合わせることによって様々なサービスを提供することができる。また、セグメント毎に異なる伝送特性（変調方式、符号化率等）を設定することもできる。現在は、１２個のセグメントを用いた高画質及び高音質の放送（以下、「１２セグメント放送」と称する）、及び、１個のセグメントを用いた移動体（携帯機器）向けの放送（以下、「１セグメント放送」と称する）の２種類の放送が提供されている。また、当座の間、１２セグメント放送と１セグメント放送とで同一の時間帯には同一の番組を提供するサイマル放送を行うことが予定されている。
【０００３】
このような放送サービスによって提供される番組は、ハードディスクドライブ（ＨＤＤ）レコーダ、ＤＶＤレコーダ、ＨＤ  ＤＶＤレコーダといった各種の記録装置で記録することができる。例えば、特許文献１は、デジタル放送の番組を記録する番組記録装置を開示している。この番組記録装置は、デジタル放送で送信されるデータを符号化方式別に受信して復調するための複数のデータ受信手段と、番組録画を行う場合に、複数のデータ受信手段がそれぞれ受信して復調するデータを記録装置に並行して記憶させる番組録画手段とを備える。
【特許文献１】特開２００５−２０４０６４号公報
【発明の開示】
【発明が解決しようとする課題】
【０００４】
ところで、１２セグメント放送の番組を記録装置に記録した場合、記録されたデータの利用には制限が課される。例えば、記録装置のハードディスクドライブ（ＨＤＤ）に記憶された番組のデータは、ＣＰＲＭ（Content Protection for Recordable Media）等の著作権保護機能を備える記憶媒体へ移動（ムーヴ）することはできるが、他の記憶媒体に複製（コピー）することはできない。即ち、ＨＤＤに記憶されたデータを他の記憶媒体にムーヴした場合、当該データはＨＤＤから削除される。
【０００５】
一方で、１セグメント放送の番組を記録装置に記録した場合、記録した番組は繰り返しムーヴすることができる。１セグメント放送は、主に携帯機器で受信されることを想定されている。しかし、携帯機器は、バッテリ容量が小さいため、長時間動作させることは困難なことが多い。また、携帯機器にデータを記憶する場合、メモリカード等のリムーバブル記録装置又は内部記録装置が利用されるため、その記憶容量は限られている。従って、携帯機器で１セグメント放送の番組を記録することには不都合がある。他方、携帯機器は場所を問わず使用できるという利点があることから、記録した番組を携帯機器で再生できれば利便性が増す。
【０００６】
従って、１２セグメント放送の番組を記録する際には、１２セグメント放送の番組に加えて１セグメント放送の番組も同時に記録できれば有利である。
【０００７】
また、１２セグメント放送では、放送編成が動的に変更されることがある。例えば、ある番組が、臨時放送、イベントリレー、又は緊急警報放送（EWS: Emergency Warning System）等によって中断されることがあり得る。イベントリレーでは、ある番組が当初予定された時刻になっても終了しない場合に、他のチャネルでその番組の続きが放送される。緊急警報放送は、地震や津波といった災害発生時に放送される。このため、ユーザが１２セグメント放送の番組の録画予約を記録装置に設定した場合、当該番組が緊急警報放送等によって中断されたときには、意図した番組の記録が中断され、異なる番組が記録されてしまうことがある。換言すれば、記録処理自体は実行されるものの、番組の継続性が維持されない。このため、１２セグメント放送の番組のみを記録装置で記録した場合、ユーザが意図した番組とは異なる番組が記録され得る。更に、ユーザは、記録した番組の再生中に初めて、その番組の記録が中断されて意図しない番組が記録されていることに気付くことになる。
【０００８】
従って、放送編成が変更された１２セグメント放送の番組を記録し、記録した番組を再生する場合に、放送編成の変更があったことをユーザに通知する機能を実現できれば有利である。
【０００９】
一方で、現在はサイマル放送が行われていることから、１２セグメント放送で動的な編成変更があった場合でも、１セグメント放送では編成変更が無い、即ち、同一の番組の放送が継続されている場合がある。
【００１０】
従って、放送編成が変更された１２セグメント放送の番組の内容を、同時に放送されていた１セグメント放送の番組で補完できれば有利である。
【００１１】
そこで、本発明の目的は、１２セグメント放送の番組と１セグメント放送の番組とを同時に記録でき、１２セグメント放送における動的な放送編成の変更に対応できる記録装置及び記録方法を提供することにある。
【課題を解決するための手段】
【００１２】
上記課題を解決するために、本発明の一つの面によれば、放送波を受信し、前記放送波を、第１の伝送特性のデータと、第２の伝送特性のデータと、番組情報のデータとに分離する受信部と、前記受信部から供給される、前記第１の伝送特性のデータと前記第２の伝送特性のデータとを同時に記録する記録処理部と、ユーザ指示が入力されるユーザインタフェース部と、前記ユーザインタフェース部から供給される前記ユーザ指示に基づいて、前記記録処理部を制御する制御部と、前記記録処理部に記録された、前記第１の伝送特性のデータ及び前記第２の伝送特性のデータのうちの一方を、前記ユーザインタフェース部から供給される前記ユーザ指示に基づいて再生する再生部とを具備することを特徴とする記録装置が提供される。
【００１３】
また、本発明の別の面によれば、放送波を受信するステップと、前記放送波を、第１の伝送特性のデータと、第２の伝送特性のデータと、番組情報のデータとに分離するステップと、前記第１の伝送特性のデータと前記第２の伝送特性のデータとを同時に記録するステップと、ユーザ指示を入力するステップと、前記ユーザ指示に基づいて、前記記録するステップを制御するステップと、前記ユーザ指示に基づいて、前記第１の伝送特性のデータ及び前記第２の伝送特性のデータのうちのいずれか一方を再生するステップとを具備することを特徴とする記録方法が提供される。
【発明の効果】
【００１４】
本発明によれば、１２セグメント放送の番組と１セグメント放送の番組とを同時に記録でき、１２セグメント放送における動的な放送編成の変更に対応できる記録装置及び記録方法を提供することができる。
【発明を実施するための最良の形態】
【００１５】
以下、図面を参照しながら本発明の実施形態について説明する。
【００１６】
図１は、本発明の一実施形態に係る記録装置の構成を概略的に示すブロック図である。図１に示す記録装置１００は、例えば、ＨＤＤレコーダ、ＤＶＤレコーダ、ＨＤ  ＤＶＤレコーダ、パーソナルコンピュータ、又はノートブック型のパーソナルコンピュータとして実現され得る。
【００１７】
記録装置１００は、受信部１０２、記録処理部１０４、ユーザインタフェース部１０６、制御部１０８、及び再生部１１０等を備える。
【００１８】
受信部１０２は、アンテナ１１２、チューナ１１４、パケット解析部１１６、及びＥＰＧ情報解析部１１８等を備える。
【００１９】
チューナ１１４は、放送局などから送信される放送波（電波）を、アンテナ１１２を介して受信する。例えば、チューナ１１４は、地上デジタル放送の電波を受信する。この場合、チューナ１１４は、第１の伝送特性のデータ（例えば、１２セグメント放送のデータ）及び第２の伝送特性のデータ（例えば、１セグメント放送のデータ）の双方を受信し、そのデータをパケット解析部１１６に供給する。
【００２０】
パケット解析部１１６は、チューナ１１４から供給されたデータを解析し、１２セグメント放送のトランスポートストリームデータと、１セグメント放送のトランスポートストリームデータと、番組情報のデータとに分離する。１２セグメント放送のトランスポートストリームデータは、パケット解析部１１６から１２セグメント放送記録部１２０に供給される。１セグメント放送のトランスポートストリームデータは、パケット解析部１１６から１セグメント放送記録部１２２に供給される。また、番組情報のデータは、パケット解析部１１６からＥＰＧ情報解析部１１８に供給される。より具体的には、パケット解析部１１６は、チューナ１１４から供給されたデータから番組配列情報（SI: System Information）のデータを抽出し、抽出したＳＩデータをＥＰＧ情報解析部１１８に供給する。
【００２１】
ＥＰＧ情報解析部１１８は、パケット解析部１１６から供給されたＳＩデータを解析し、電子番組表（EPG: Electronic Program Guide）の情報を取得する。取得されたＥＰＧ情報は、ＥＰＧ情報解析部１１８からユーザインタフェース部１０６及び制御部１０８に供給される。
【００２２】
ユーザインタフェース部１０６は、ＥＰＧ情報解析部１１８から供給されたＥＰＧ情報を利用して、ユーザインタフェース画面のデータを生成する。このユーザインタフェース画面のデータは、ユーザインタフェース部１０６から再生部１１０に供給される。また、ユーザインタフェース部１０６には、ユーザ操作によってユーザ指示が入力される。ユーザインタフェース部１０６は、入力されたユーザ指示を制御部１０８に供給する。例えば、１２セグメント放送の番組を記録装置１００に記録（録画）するための記録指示は、ユーザがリモートコントローラを操作することで入力され得る。また、この記録指示は、ユーザが記録装置１００の本体に設けられたボタン等を操作することで入力されてもよい。なお、図１に示すユーザインタフェース部１０６は、ソフトウェア（例えば、ユーザインタフェース画面）及びハードウェア（例えば、リモートコントローラ、本体に設けられたボタン等）の両方を含むものとして示されている。
【００２３】
制御部１０８は、ＥＰＧ情報解析部１１８からＥＰＧ情報を取得する。また、制御部１０８は、ユーザインタフェース部１０６に対して、記録された番組の情報を示す記録番組情報を供給する。更に、制御部１０８は、ユーザインタフェース部１０６から供給されるユーザ指示に応じて、１２セグメント放送記録部１２０及び１セグメント放送記録部１２２を制御する。例えば、制御部１０８は、ユーザインタフェース部１０６から供給される記録指示に基づいて、１２セグメント放送記録部１２０及び１セグメント放送記録部１２２に対して、それぞれ１２セグメント放送のデータ及び１セグメント放送のデータを記録するよう記録指示を与える。また、制御部１０８は、１２セグメント放送記録部１２０及び１セグメント放送記録部１２２の各々で記録された番組等のデータの移動について履歴管理を行う。
【００２４】
また、制御部１０８は、１２セグメント放送において、臨時放送、イベントリレー、又は緊急警報放送（EWS）等による動的な放送編成の変更があるか否かを判定する。この判定は、例えば、１２セグメント放送のデータ中に含まれる番組情報のデータに基づいて行うことができる。より具体的には、判定は、１２セグメント放送のデータ中に含まれるＳＩデータ中のイベント情報テーブル（EIT: Event Information Table）の情報を監視することで実現される。
【００２５】
ＥＩＴは、番組名、放送日時、及び番組の簡単な説明といった、番組に関する情報を格納しており、ＥＩＴに含まれる情報に基づいてＥＰＧが生成される。また、ＥＩＴには、現在のイベント（放送中の番組）と続くイベント（次に放送される番組）の情報を有するEIT Present/Following情報と、１週間程度の放送スケジュール（複数の番組）の情報を有するEIT Schedule情報とがある。
【００２６】
制御部１０８は、EIT Present/Following情報とEIT Schedule情報とを比較し、差異が検出されない場合には動的な編成の変更は無いと判定し、差異が検出された場合には動的な編成の変更があると判定することができる。あるいは、制御部１０８は、動的な編成の変更を、電波産業会（ARIB： Association of Radio Industries and Businesses）によって策定された手順によって検出することもできる。ＡＲＩＢ規格で策定された手順による動的な番組編成変更は、現在放送中の番組情報を表すEIT Presentと次に放送予定の番組情報を示すEIT followingの情報を以下のように変更することで番組の編成が変更されることを受信機（本実施形態においては、記録装置１００）側に伝送する。EIT Present/Followingは、番組の放送時間の情報として番組の開始時間(start_time：40bitデータ)と番組の放送時間(duration：24bitデータ)の情報をそれぞれ格納し、受信機に対して番組情報を提示する。現在放送されている番組が放送時間を延長する場合、EIT Presentのdurationが未定時間(すべてのビットが１)に設定され、受信機側（本実施形態においては、例えば、記録装置１００の制御部１０８）に編成変更が発生することを通知する。その後、現在時刻の番組と次放送予定の番組情報が修正されたEIT Present/Followingが送出されるのを待って、受信機（本実施形態においては、例えば、記録装置１００の制御部１０８）側は、修正されたEIT Present/Followingを受信後、正しい番組情報に従って動作（ＥＰＧ情報の更新や録画の停止など）を変更する。判定結果は、１２セグメント放送記録部１２０に供給され、現在記録されている番組のデータ内に記録することができる。つまり、制御部１０８は、放送編成の変更に関する情報を記憶媒体１２０ｂに記憶することができる。また、制御部１０８に編成変更データベースを設け、この編成変更データベースに放送編成の変更に関する情報を記憶してもよい。
【００２７】
記録処理部１０４は、１２セグメント放送記録部１２０及び１セグメント放送記録部１２２を備える。
【００２８】
１２セグメント放送記録部１２０は、記録部１２０ａ及び記憶媒体１２０ｂを備える。記録部１２０ａは、制御部１０８からの指示に基づいて、パケット解析部１１６から供給される１２セグメント放送のトランスポートストリームデータを記憶媒体１２０ｂに記憶する。記憶されたデータの再生時には、記憶されたデータが記憶媒体１２０ｂから再生部１１０に供給される。
【００２９】
１セグメント放送記録部１２２は、記録部１２２ａ及び記憶媒体１２２ｂを備える。記録部１２２ａは、制御部１０８からの指示に基づいて、パケット解析部１１６から供給される１セグメント放送のトランスポートストリームデータを記憶媒体１２２ｂに記憶する。記憶されたデータの再生時には、記憶されたデータが記憶媒体１２２ｂから再生部１１０に供給される。
【００３０】
上述した１２セグメント放送記録部１２０と１セグメント放送記録部１２２とは、同時に記録処理を行うことができる。換言すれば、記録装置１００は、１２セグメント放送の番組と１セグメント放送の番組とを同時に記録することができる。
【００３１】
なお、図１には、記憶媒体１２０ｂと記憶媒体１２２ｂとが異なる媒体として示されている。しかし、記憶媒体１２０ｂと記憶媒体１２２ｂとは、異なる記憶媒体に限定されるものではなく、ＨＤＤといった同一の記憶媒体であってもよい。また、記憶媒体１２０ｂ及び記憶媒体１２２ｂの各々は、データを記憶できる媒体であれば如何なる媒体であってもよい。例えば、記憶媒体１２２ｂは、記録装置１００に内蔵されたＨＤＤであっても、記録装置１００で使用できる取り外し可能な媒体であってもよい。
【００３２】
再生部１１０は、ユーザインタフェース部１０６から供給されるユーザ指示に応じて、１２セグメント放送記録部１２０又は１セグメント放送記録部１２２で記録されたデータを取得し、取得したデータを記録装置１００に接続されたテレビ、モニタ等に供給する。
【００３３】
再生部１１０は、１２セグメント放送記録部１２０で記録された番組の再生を開始する前に、再生対象の番組に放送編成の変更があったか否かを判定する。より具体的には、再生部１１０は、制御部１０８の編成変更データベースを参照し、再生対象の番組について放送編成の変更に関する情報が存在するか否かを判定し得る。あるいは、再生部１１０は、１２セグメント放送記録部１２０の記憶媒体１２０ｂを参照し、再生対象の番組について放送編成の変更に関する情報が存在するか否かを判定してもよい。放送編成の変更に関する情報が存在する場合、即ち、再生対象の番組に放送編成の変更があった場合、制御部１０８又は再生部１１０は、放送編成の変更に関する情報をユーザインタフェース部１０６に供給する。放送編成の変更に関する情報は、放送編成の変更があった部分を補完する、１セグメント放送の番組が１セグメント放送記録部１２２によって記録されていることを示す情報を含んでもよい。放送編成の変更に関する情報に基づいて、ユーザインタフェース部１０６は、再生対象の番組の記録中に放送編成の変更があった旨を示すメッセージ（文字、記号、図形等を含む）のデータを生成し、当該データを再生部１１０に供給する。供給されたデータは、再生部１１０を介して、記録装置１００に接続されたテレビ、モニタ等の画像表示装置の画面にメッセージとして表示される。なお、ユーザインタフェース部１０６は、画像表示装置等のスピーカから出力される音声メッセージのデータを生成してもよい。
【００３４】
また、再生部１１０は、１２セグメント放送記録部１２０で記録された番組の再生中に、放送編成の変更があった箇所に関する情報（例えば、放送編成の変更が開始される箇所を示す情報）をユーザインタフェース部１０６に供給する。放送編成の変更があった箇所に関する情報は、１２セグメント放送の番組において放送編成の変更があった箇所に対応する１セグメント放送の番組のデータが、１セグメント放送記録部１２２によって記録されていることを示す情報を含んでいてもよい。この情報に基づいて、ユーザインタフェース部１０６は、放送編成の変更が開始される箇所を示すメッセージのデータを生成し、当該データを再生部１１０に供給する。このメッセージは、放送編成の変更が開始される箇所以降、１２セグメント放送のデータから１セグメント放送のデータに切り替えるか否かの指示入力をユーザに促すメッセージを含んでもよい。
【００３５】
データを切り替えない旨の指示がユーザインタフェース部１０６を介して再生部１１０に入力された場合、再生部１１０は、記憶媒体１２０ｂに記憶された１２セグメント放送のデータの再生を継続する。一方、データを切り替える旨の指示がユーザインタフェース部１０６を介して再生部１１０に入力された場合、再生部１１０は、記憶媒体１２０ｂに記憶された１２セグメント放送のデータの再生を、記憶媒体１２２ｂに記憶された１セグメント放送のデータの再生に切り替える。換言すれば、再生部１１０は、放送編成の変更があった部分（期間）については、１２セグメント放送のデータの代わりに、１セグメント放送のデータを再生する。
【００３６】
１２セグメント放送の番組中で、放送編成の変更があった時間が、記録した時間（録画時間）の一部であった場合、ユーザインタフェース部１０６は、放送編成の変更が終了する箇所を示すメッセージを生成してもよい。編成の変更が終了する箇所を示すメッセージは、放送編成の変更が終了する箇所以降、１セグメント放送のデータから１２セグメント放送のデータに切り替えるか否かの指示入力をユーザに促すメッセージを含んでいてもよい。
【００３７】
データを切り替えない旨の指示がユーザインタフェース部１０６を介して再生部１１０に入力された場合、再生部１１０は、記憶媒体１２２ｂに記憶された１セグメント放送のデータの再生を継続する。一方、データを切り替える旨の指示がユーザインタフェース部１０６を介して再生部１１０に入力された場合、再生部１１０は、記憶媒体１２２ｂに記憶された１セグメント放送のデータの再生を、記憶媒体１２０ｂに記憶された１２セグメント放送のデータの再生に切り替える。換言すれば、再生部１１０は、放送編成の変更が無い部分については、１セグメント放送のデータの代わりに、１２セグメント放送のデータを再生する。
【００３８】
なお、パケット解析部１１６、ＥＰＧ情報解析部１１８、ユーザインタフェース部１０６の一部、制御部１０８、記録部１２０ａ、記録部１２２ｂ、及び再生部１１０は、必ずしもハードウェアに限定されず、記録装置１００内の例えばＣＰＵによって実行されるソフトウェアによっても実現され得る。
【００３９】
上述した記録装置１００によれば、例えば同一チャネル中の１２セグメント放送の番組と１セグメント放送の番組とを常に同時に記録（録画）することができる。従って、ある番組を記録装置１００で記録した場合、当該番組の１２セグメント放送のデータ（高画質、高音質のデータ）を記録装置１００によって再生し、当該番組の１セグメント放送のデータを他の記憶媒体にムーヴして携帯機器で再生することができる。
【００４０】
また、記録装置１００によれば、放送編成の変更があった１２セグメント放送の番組の再生を開始する前に、放送編成の変更があったことをユーザに通知することができる。また、放送編成の変更があった１２セグメント放送の番組の再生を開始する前又は再生中に、放送編成の変更が開始される箇所、編成の変更が終了する箇所、及び編成が変更された部分については１セグメント放送のデータが記録されていること等をユーザに通知することができる。
【００４１】
更に、記録装置１００によれば、１２セグメント放送の番組の記録中に、緊急警報放送等による動的な編成の変更があった場合でも、１２セグメント放送と同時に行われている１セグメント放送の番組も記録されているので、１２セグメント放送の番組中で放送編成が変更された箇所を、１セグメント放送の番組によって補完することができる。
【００４２】
図２は、図１に示す記録装置１００に適用し得る、本発明の一実施形態に係る記録方法を説明するためのフローチャートである。図２に示す記録方法は、同一チャネル中の１２セグメント放送の番組と１セグメント放送の番組とを同時に記録する方法である。以下、説明の都合上、図２に示す記録方法を記録装置１００に適用した場合を例に説明する。
【００４３】
制御部１０８は、ユーザインタフェース部１０６を介して予め入力された録画予約情報を取得する（ステップＳ２０２）。この録画予約情報は、ユーザが記録したいと望む番組に関する情報（例えば、記録対象のチャネル、記録日、記録開始時刻、記録終了時刻等）を含む。続いて、制御部１０８は、ユーザインタフェース部１０６を介して予め入力された設定情報を取得する（ステップＳ２０４）。この設定情報は、例えば、１２セグメント放送の番組の記録時に、同じチャネルで提供されている１セグメント放送の番組を同時に記録するか否かを示す情報を含む。なお、初期設定において、１２セグメント放送の番組の記録時には、同じチャネルで提供されている１セグメント放送の番組を常に同時に記録する設定がなされていてもよい。
【００４４】
制御部１０８は、記録対象の１２セグメント放送の番組情報をＥＰＧ情報解析部１１８から取得し（ステップＳ２０６）、記録開始時刻に当該番組の記録を開始するように１２セグメント放送記録部１２０に対して指示し、１２セグメント放送記録部１２０は当該番組の記録を開始する（ステップＳ２０８）。より具体的には、記録部１２０ａは、１２セグメント放送のデータの記憶媒体１２０ｂへの記憶を開始する。また、制御部１０８は、ステップＳ２０４で取得した設定情報に基づいて、１２セグメント放送の番組と１セグメント放送の番組とを同時に記録するか否かを判定する（ステップＳ２１０）。
【００４５】
１２セグメント放送の番組のみを記録する場合（ステップＳ２１０でＮＯ）、処理はステップＳ２１６に進む。一方、１２セグメント放送の番組と１セグメント放送の番組とを同時に記録する場合（ステップＳ２１０でＹＥＳ）、制御部１０８は、ＥＰＧ情報解析部１１８から１セグメント放送の番組情報を取得し（ステップＳ２１２）、当該番組の記録を開始するように１セグメント放送記録部１２２に対して指示し、１セグメント放送記録部１２２は当該番組の記録を開始する（ステップＳ２１４）。より具体的には、記録部１２２ａは、１セグメント放送のデータの記憶媒体１２２ｂへの記憶を開始する。
【００４６】
次いで、制御部１０８は、記録終了時刻をチェックし（ステップＳ２１６）、記録を終了するか否かを判定する（ステップＳ２１８）。この判定は、例えば、記録終了時刻を現在の時刻と比較することで行ってもよい。記録を終了しないと判定された場合（ステップＳ２１８でＮＯ）、処理はステップＳ２１６に戻る。一方、記録を終了すると判定された場合（ステップＳ２１８でＹＥＳ）、記録部１２０ａ及び１２２ａは、それぞれ記憶媒体１２０ｂ及び１２２ｂへ記録データの書き出しを行う（ステップＳ２２０）。例えば、制御部１０８は、記録装置１００のバッファ内に残存している記録対象のデータを、記憶媒体１２０ｂ及び１２２ｂに記憶する。あるいは、制御部１０８は、記憶媒体１２０ｂ及び１２２ｂの各々に記憶されたデータを、１つのファイルとして確定する処理を行ってもよい。なお、ステップＳ２１０で、１セグメント放送のデータを記録しないと判定されていた場合（ステップＳ２１０でＮＯ）、ステップＳ２２０では、記録部１２０ａが記憶媒体１２０ｂへ記録データの書き出しを行う。
【００４７】
図２に示す記録方法によれば、同一チャネル中の１２セグメント放送のデータと１セグメント放送のデータとを同時に記録することができる。従って、ある番組を記録装置１００で記録した場合、当該番組の１２セグメント放送のデータ（高画質、高音質のデータ）を記録装置１００によって再生し、当該番組の１セグメント放送のデータを他の記憶媒体にムーヴして携帯機器で再生することができる。
【００４８】
図３は、図１に示す記録装置１００に適用し得る別の記録方法を説明するためのフローチャートである。図３に示す記録方法は、１２セグメント放送で、緊急警報放送等により動的な放送編成の変更があった場合に、１２セグメント放送のデータを同一チャネル中の１セグメント放送のデータで補完する方法である。以下、説明の都合上、図３に示す記録方法を記録装置１００に適用した場合を例に説明する。
【００４９】
図３に示す記録方法のステップＳ３０２乃至Ｓ３１４で行われる処理は、それぞれ図２に示す記録方法のステップＳ２０２乃至Ｓ２１４で行われる処理と同一であるので、その説明は省略する。以下、ステップＳ３１６以降の処理について説明する。
【００５０】
まず、制御部１０８は、１２セグメント放送の放送編成をチェックする（ステップＳ３１６）。次いで、制御部１０８は、１２セグメント放送において放送編成に変更があるか否かを判定する（ステップＳ３１８）。上述したように、この判定は、例えば１２セグメント放送のデータ中に含まれるＳＩデータ（より詳細には、ＥＩＴ）の情報に基づいて行われ得る。
【００５１】
放送成に変更があると判定された場合（ステップＳ３１８でＹＥＳ）、制御部１０８は、放送編成の変更に関する情報を記憶する（ステップＳ３２０）。例えば、制御部１０８は、放送編成に変更があったことを示す情報を記録データ内に記憶することができる。つまり、制御部１０８は、放送編成の変更に関する情報を記憶媒体１２０ｂに記憶することができる。また、制御部１０８に編成変更データベースが設けられている場合、放送編成に変更があったことを示す情報を編成変更データベースに記憶してもよい。
【００５２】
一方、編成に変更が無いと判定された場合（ステップＳ３１８でＮＯ）、制御部１０８は、記録終了時刻をチェックする（ステップＳ３２２）。次いで、制御部１０８は、記録を終了するか否かを判定する（ステップＳ３２４）。この判定は、例えば、記録終了時刻を現在の時刻と比較することで行ってもよい。記録を終了しないと判定された場合（ステップＳ３２４でＮＯ）、処理はステップＳ３１６に戻る。一方、記録を終了すると判定された場合（ステップＳ３２４でＹＥＳ）、記録部１２０ａ及び１２２ａは、それぞれ記憶媒体１２０ｂ及び１２２ｂへ記録データの書き出しを行う（ステップＳ３２６）。例えば、制御部１０８は、記録装置１００のバッファ内に残存している記録対象のデータを、記憶媒体１２０ｂ及び１２２ｂに記憶する。あるいは、制御部１０８は、記憶媒体１２０ｂ及び１２２ｂの各々に記憶されたデータを、１つのファイルとして確定する処理を行ってもよい。なお、ステップＳ３１０で、１セグメント放送の番組を記録しないと判定された場合（ステップＳ３１０でＮＯ）、ステップＳ３２４では、記録部１２０ａが記憶媒体１２０ｂへ記録データの書き出しを行う。
【００５３】
図３に示す記録方法によれば、１２セグメント放送の番組の記録中に、緊急警報放送等による動的な放送編成の変更があった場合、放送編成の変更に関する情報（例えば、当該番組における放送編成の変更の有無を示す情報、放送編成の変更が開始された箇所（時刻）に関する情報）を記憶することができる。
【００５４】
また、１２セグメント放送と同時に行われている１セグメント放送の番組も記録されているので、１２セグメント放送の番組中で放送編成が変更された箇所を、１セグメント放送の番組によって補完することができる。
【００５５】
図４は、図１に示す記録装置１００に適用し得る、本発明の一実施形態に係る再生方法を説明するためのフローチャートである。図４に示す再生方法は、記録した１２セグメント放送の番組で放送編成の変更があった場合、放送編成の変更があった部分については、１２セグメント放送の番組の再生を１セグメント放送の番組の再生に切り替える方法である。以下、説明の都合上、図４に示す再生方法を記録装置１００に適用した場合を例に説明する。
【００５６】
再生部１１０は、記録した１２セグメント放送の番組に対する再生指示を、ユーザインタフェース部１０６から受け取ると、再生指示によって指定された番組の記録データの情報を記憶媒体１２０ｂから取得する（ステップＳ４０２）。
【００５７】
また、再生部１１０は、再生指示で指定された番組について、放送編成の変更に関する情報を取得する（ステップＳ４０４）。この放送編成の変更に関する情報は、例えば、記憶媒体１２０ｂに記憶された記録データから取得することができる。あるいは、制御部１０８に編成変更データベースが設けられている場合、編成変更データベースから放送編成の変更に関する情報を取得してもよい。
【００５８】
再生部１１０は、取得した放送編成の変更に関する情報に基づいて、放送編成に変更があったか否かを判定する（ステップＳ４０６）。放送編成に変更がなかったと判定された場合（ステップＳ４０６でＮＯ）、再生部１１０は、記憶媒体１２０ｂに記録された１２セグメント放送の記録データの再生を開始する（ステップＳ４３０）。指定された番組の記録データの再生が終了すると、１２セグメント放送の記録データの再生を停止する（ステップＳ４２８）。
【００５９】
一方、放送編成に変更があった場合（ステップＳ４０６でＹＥＳ）、番組の記録中に放送編成の変更があったことをユーザに通知する（ステップＳ４０８）。編成変更があったことをユーザに通知する方法としては、記録装置１００に接続されたテレビ、モニタ等の画面にメッセージ（文字、記号、図形等を含む）を表示する方法、又はテレビ、モニタ等のスピーカから音声メッセージを出力する方法がある。また、再生部１１０は、記憶媒体１２０ｂに記録された１２セグメント放送の記録データの再生を開始する（ステップＳ４１０）。
【００６０】
記録データの再生開始後、再生部１１０は、記録データの放送編成の変更に関する情報をチェックし、記録データの再生箇所が、放送編成の変更が開始された箇所に達したか否かを判定する（ステップＳ４１２）。ステップＳ４１２の判定は、放送編成の変更が開始された箇所に達するまで繰り返される。一方、放送編成の変更が開始された箇所に達した場合（ステップＳ４１２でＹＥＳ）、再生部１１０は、ユーザに対して、１セグメント記録データに切り替えるか否かを確認する（ステップＳ４１４）。この確認は、例えば、記録装置１００に接続されたテレビ、モニタ等の画面にテキストメッセージを表示し、１セグメント記録データに切り替えるか否かに関するユーザ指示を、ユーザインタフェース部１０６を介して受け取ることで行うことができる。なお、テキストメッセージの代わりに、テレビ、モニタ等のスピーカから音声メッセージを出力してもよい。
【００６１】
１セグメント記録データに切り替えない旨のユーザ指示が入力された場合（ステップＳ４１４でＮＯ）、再生部１１０は、１２セグメント放送の記録データの再生を継続し、記録データの再生が終了すると、記録データの再生を停止する（ステップＳ４２８）。
【００６２】
一方、１セグメント記録データに切り替える旨のユーザ指示が入力された場合（ステップＳ４１４でＹＥＳ）、再生部１１０は、１２セグメントの記録データの再生を停止する（ステップＳ４１６）。再生部１１０は、１２セグメントの記録データの再生位置情報を取得し、記憶部１２２ｂに記憶された１セグメントの記録データの再生を、取得された位置から開始する（ステップＳ４１８）。なお、この１セグメントの記録データは、再生を停止した１２セグメントの記録データに対応する１セグメントの記録データ、即ち、再生を停止した１２セグメントの記録データと同時に記録された１セグメントの記録データである。
【００６３】
１セグメントの記録データの再生開始後、再生部１１０は、記録データの放送編成の変更情報をチェックし、記録データの再生箇所が、放送編成の変更が終了した箇所に達したか否かを判定する（ステップＳ４２０）。ステップＳ４２０の判定は、放送編成の変更が終了した箇所に達するまで繰り返される。放送編成の変更が終了した箇所に達した場合（ステップＳ４２０でＹＥＳ）、再生部１１０は、１セグメントの記録データの再生を停止する（ステップＳ４２２）。
【００６４】
再生部１１０は、ユーザに対して、１２セグメント記録データに切り替えるか否かを確認する（ステップＳ４２４）。この確認は、例えば、記録装置１００に接続されたテレビ、モニタ等の画面にメッセージを表示し、１２セグメント記録データに切り替えるか否かに関するユーザ指示を、ユーザインタフェース部１０６を介して受け取ることで行うことができる。なお、テレビ、モニタ等のスピーカから音声メッセージを出力してもよい。
【００６５】
１２セグメントの記録データに切り替えない旨のユーザ指示が入力された場合（ステップＳ４２４でＮＯ）、再生部１１０は、１セグメント放送の記録データの再生を開始する（ステップＳ４３２）。再生部１１０は、１セグメント放送の記録データを最後まで再生すると、その再生を停止する（ステップＳ４３３）。
【００６６】
一方、１２セグメントの記録データに切り替える旨のユーザ指示が入力された場合（ステップＳ４２４でＹＥＳ）、再生部１１０は、１２セグメント放送の記録データの再生を開始する（ステップＳ４２６）。再生部１１０は、１２セグメント放送の記録データを最後まで再生すると、その再生を停止する（ステップＳ４２８）
なお、上述した再生方法は、図４に示す手順に限定されるものではない。例えば、ステップＳ４１４の確認は、ステップＳ４１０の記録データの再生開始よりも前に行ってもよい。また、例えば、１２セグメント放送において放送編成の変更があり、ユーザ指示で指定された記録終了時刻になっても放送編成の変更が終了しなかった場合、ステップＳ４１８で１セグメント放送の記録データの再生が開始された後、当該記録データの再生が終了すると、再生部１１０は記録データの再生を終了する。即ち、再生部１１０は、ステップＳ４２４以降の処理を行わない。
【００６７】
上述した再生方法によれば、緊急警報放送等による動的な放送編成の変更があった１２セグメント放送の記録データの再生を開始する前に、放送編成の変更があったことをユーザに通知することができる。また、放送編成の変更があった１２セグメント放送の番組の再生を開始する前又は再生中に、放送編成が変更された部分については１セグメント放送の記録データが存在することをユーザに通知することができる。更に、ユーザは、記録した１２セグメント放送の番組中で編成の変更があった部分については、１２セグメント放送の記録データから１セグメント放送の記録データに切り替えるか否かを選択することができる。
【００６８】
また、上述した再生方法によれば、１２セグメント放送の番組の記録中に、緊急警報放送等による動的な放送編成の変更があった場合でも、１２セグメント放送の番組中で編成が変更された箇所を、１セグメント放送の番組によって補完することができる。より具体的には、１２セグメント放送の記録データにおいて編成が変更された部分については、１２セグメント放送の記録データの代わりに１セグメント放送の記録データを再生することができる。
【００６９】
なお、本発明は、上記実施形態そのままに限定されるものではない。本発明は、実施段階では、その要旨を逸脱しない範囲で構成要素を変更して具現化できる。
【００７０】
また、上記実施形態に開示されている複数の構成要素を適宜に組み合わせることで、種々の発明を形成できる。例えば、実施形態に示される全構成要素から幾つかの構成要素を削除してもよい。更に、異なる実施形態にわたる構成要素を適宜組み合わせてもよい。
【図面の簡単な説明】
【００７１】
【図１】本発明の一実施形態に係る記録装置の構成を示すブロック図である。
【図２】図１に示す記録装置に適用し得る記録方法を説明するためのフローチャートである。
【図３】図１に示す記録装置に適用し得る別の記録方法を説明するためのフローチャートである。
【図４】図１に示す記録装置に適用し得る再生方法を説明するためのフローチャートである。
【符号の説明】
【００７２】
１０２…受信部、１０４…記録処理部、１０６…ユーザインタフェース部、１０８…制御部、１１０…再生部、１１２…アンテナ、１１４…チューナ、１１６…パケット解析部、１１８…ＥＰＧ情報解析部、１２０…１２セグメント放送記録部、１２０ａ…記録部、１２０ｂ…記憶媒体、１２２…１セグメント放送記録部、１２２ａ…記録部、１２２ｂ…記憶媒体。
【図１】
2008252590.tif 000003
【図２】
2008252590.tif 000004
【図３】
2008252590.tif 000005
【図４】
2008252590.tif 000006